(57)【特許請求の範囲】
【請求項１】
頁データを供給する頁データ供給部と、
表示画面において中心線の左側に配置される下層左頁画像を保持する下層左頁画像保持部と、
前記表示画面において前記中心線の右側に配置される下層右頁画像を保持する下層右頁画像保持部と、
前記表示画面において前記中心線の左側であって前記下層左頁画像に重ねて配置される上層左頁画像を保持する上層左頁画像保持部と、
前記表示画面において前記中心線の右側であって前記下層右頁画像に重ねて配置される上層右頁画像を保持する上層右頁画像保持部と、
前記下層左頁画像及び前記下層右頁画像を制御する下層画像制御部と、
頁操作入力を受け付ける入力部と、
前記入力部が受け付けた頁操作入力に応じて、前記上層左頁画像及び前記上層右頁画像のサイズ及び可視／不可視を制御する上層画像制御部とを備え、
前記上層画像制御部は、今回の頁操作が「次頁」であれば、めくられた頁が中心線を越えた時点に、前記上層右頁画像の頁を２頁増加し、且つ不可視とした上で当該上層右頁画像のサイズを大に変更し、次の「次頁」の頁操作入力に備える頁画像表示装置。
【請求項２】
前記上層右頁画像及び前記上層左頁画像は、前記下層右頁画像及び前記下層左頁画像よりも解像度が低い請求項１記載の頁画像表示装置。
【請求項３】
前記上層画像制御部が、前記上層左頁画像及び前記上層右頁画像の一方をサイズ大及び可視とする際、前記下層画像制御部は、前記一方により隠される下層画像を必要に応じて別の頁の下層画像に変更する、請求項１または２記載の頁画像表示装置。
【請求項４】
前記上層画像制御部は、頁が左から右へめくられる際、前記上層左頁画像のサイズを大から小へ変更し、前記上層右頁画像のサイズを小から大へ変更する、請求項１から３いずれか記載の頁画像表示装置。
【発明の詳細な説明】
【技術分野】
【０００１】
本発明は、本をめくる感覚で頁を操作できる環境を、表示画面上に形成する頁画像表示装置に関するものである。
【背景技術】
【０００２】
言うまでもなく、本は、文又は絵等が表された複数の頁からなり、永年、読者に著者の考え方や思想を伝達するための媒体として親しまれてきた。
【０００３】
一方、液晶ディスプレイ装置に代表される表示デバイスは、情報を表示するために広く使用されている。このような表示デバイスの表示画面上に、永年慣れ親しまれた本に類似する、ＧＵＩ（グラフィカル・ユーザ・インターフェイス）を構築しようとする流れがあるが、これは、ごく自然なものである。
【０００４】
例えば、特許文献１（特開２００１−２６５４８１号公報）は、頁をめくる動作に似せた表示技術をいくつか開示している。
【０００５】
しかしながら、このものでは、片頁のみしか考察しておらず、見開き左右２頁という、一般的な本の形態には適用できない。
【０００６】
加えて、めくられようとしている頁に関する画像は、その下に位置する画像と特別区別されておらず、処理負担が重く軽快な動作を実現しにくいという問題点がある。特に、携帯電話などの、システムリソースや消費電力等に余裕がない環境では、実装が難しくなる。
【特許文献１】特開２００１−２６５４８１号公報
【発明の開示】
【発明が解決しようとする課題】
【０００７】
そこで本発明は、見開き左右２頁で本を読む場合に極めて近く、かつ、軽快なめくり操作を実施できる頁画像表示装置を提供することを目的とする。
【課題を解決するための手段】
【０００８】
第１の発明に係る頁画像表示装置は、頁データを供給する頁データ供給部と、表示画面において中心線の左側に配置される下層左頁画像を保持する下層左頁画像保持部と、表示画面において中心線の右側に配置される下層右頁画像を保持する下層右頁画像保持部と、表示画面において中心線の左側であって下層左頁画像に重ねて配置される上層左頁画像を保持する上層左頁画像保持部と、表示画面において中心線の右側であって下層右頁画像に重ねて配置される上層右頁画像を保持する上層右頁画像保持部と、下層左頁画像及び下層右頁画像を制御する下層画像制御部と、頁操作入力を受け付ける入力部と、入力部が受け付けた頁操作入力に応じて、上層左頁画像及び上層右頁画像のサイズ及び可視／不可視を制御する上層画像制御部とを備え、上層画像制御部は、上層右頁画像又は上層左頁画像の一方を不可視とした上で当該一方のサイズを変更し、次の頁操作入力に備える。
【０００９】
この構成により、上層画像制御部が、上層左頁画像及び上層右頁画像をいずれも不可視とすることにより、下層左頁画像及び下層右頁画像がおもてに現れ、利用者は、左頁（下層左頁画像）及び右頁（下層右頁画像）を読むことができる。また、利用者が入力部により頁操作入力を行うと、上層画像制御部が、上層左頁画像及び上層右頁画像のいずれかを可視とし、そのサイズを変更することにより、操作された上層画像が下層画像の上であたかも頁がめくれる如くに動き、頁めくり動作を模すことができる。しかも、これらの処理は、中心線を挟んで左右見開き２頁の状態（本を開いた状態）で実施することができる。
【００１０】
第２の発明に係る頁画像表示装置では、上層右頁画像及び上層左頁画像は、下層右頁画像及び下層左頁画像よりも解像度が低い。
【００１１】
この構成により、頁めくり動作時の操作対象となる、上層右頁画像と上層左頁画像とが、小さく軽いものとなるため、軽快な頁めくり動作を実現できる。しかも、人間の目は、動いている対象については静止している対象よりも細かな点に気づきにくいから、このように解像度に差を付けても、見た目の画質劣化を抑制できる。
【００１２】
第３の発明に係る頁画像表示装置では、上層画像制御部が、上層左頁画像及び上層右頁画像の一方をサイズ大及び可視とする際、下層画像制御部は、一方により隠される下層画像を必要に応じて別の頁の下層画像に変更する。
【００１３】
この構成により、下層画像を、上層画像に隠された状態で別の頁の下層画像へ変更できるから、利用者に気づかれず円滑に頁の動きを表現できる。
【００１４】
第４の発明に係る頁画像表示装置では、上層画像制御部は、頁が左から右へめくられる際、上層左頁画像のサイズを大から小へ変更し、上層右頁画像のサイズを小から大へ変更する。
【００１５】
この構成により、単に上層画像のサイズ（中心線からの幅）を変更するだけで、あたかも頁が本当にめくられているかのような動きを実現できる。
【発明の効果】
【００１６】
本発明によれば、見開き左右２頁という本を開いた状態において、軽快かつ円滑に頁めくり動作を再現できる。
【発明を実施するための最良の形態】
【００１７】
次に図面を参照しながら、本発明の実施の形態を説明する。図１は、本発明の一実施の形態における頁画像表示装置のブロック図、図２（ａ）、（ｂ）は、それぞれ上層画像及び下層画像のデータ構造図である。
【００１８】
制御部１は、ＣＰＵ及びその制御プログラムを記憶するＲＯＭ等からなり、図１に示す各要素を制御する。
【００１９】
頁データ供給部２は、頁データを供給する。頁データは、文字のみであっても良いし、絵のみであってもよい。要するに、ＨＴＭＬ等マルチメディアデータを内包し表示するに適するフォーマットに適用できるものなら、任意である。
【００２０】
本形態では、頁データは、（１）下層画像のための高解像度のデータと、（２）上層画像のための低解像度のデータとの、２種類を使用する。図示を簡単にするため、以下、図４（ａ）、（ｃ）、（ｅ）、（ｇ）は、それぞれ１頁、２頁、３頁、４頁の下層画像であり、図４（ｂ）、（ｄ）、（ｆ）、（ｈ）は、それぞれ１頁、２頁、３頁、４頁の上層画像であるものとする。
【００２１】
なお、上層画像は、同じ頁の下層画像を間引く等の処理をし、動的に生成することもできるが、本形態では、処理の高速性を優先し、図４に示すように、下層画像と上層画像とは、それぞれ一対一に対応づけられ、頁データ供給部２に保存されているものとする。勿論、頁データ供給部２は、ＤＶＤ等の記録媒体とそのドライブであっても良いし、あるいは、ネットワークを経由して頁データを供給するサーバ等であってもよいし、さらには、放送波により頁データを供給する局であってもよい。
【００２２】
図２（ａ）は、下層画像のデータ構造例を示す。下層画像（下層左頁画像、下層右頁画像）は、基本的に頁毎に表示されるだけである。したがって、表示画面における表示領域の左上点、右下点（下層左頁画像なら右下点のｘ座標は中心線のｘ座標と等しく、下層右頁画像なら左上点のｘ座標は中心線のｘ座標と等しい。）の各座標値、及び該当頁番号等の情報を保持する。
【００２３】
この構成に従う記憶領域がメモリに、下層左頁画像保持部１１、下層右頁画像保持部１２として確保されている。即ち、下層左頁画像保持部１１は、表示画面において中心線の左側に配置される下層左頁画像を保持し、下層右頁画像保持部１２は、表示画面において中心線の右側に配置される下層右頁画像を保持する。
【００２４】
下層画像制御部１０は、下層左頁画像保持部１１、下層右頁画像保持部１２に保持させる、該当頁の下層画像を制御部１を介して、頁データ供給部２から取得し、タイミングを調整しながら、下層左頁画像保持部１１、下層右頁画像保持部１２を適宜更新する。
【００２５】
図２（ｂ）は、上層画像のデータ構造例を示す。上層画像（上層左頁画像、上層右頁画像）は、図２（ａ）に示す情報の他、可視／不可視というプロパティ、サイズ（中心線からの幅）というプロパティを有する。
【００２６】
可視であるときは、上層画像は表示画面にあらわれ、そのあらわれた部分により、下方に位置する下層画像は隠される。不可視であるときは、上層画像は見えず、その下方に位置する下層画像は全てあらわれる。可視／不可視の制御は、本形態では、透過／不透過によっているが、前面／背面の位置関係によることもできる。
【００２７】
本形態では、サイズは、小と大というように大まかに取り扱っている。勿論、いくつかの段階（例えば５段階など）を定義し、それを利用しても良いし、最大の幅に対する百分率を用いても良い。さて、サイズが小であるときは、上層画像を可視としても、下層画像のうち、中心線付近だけが上層画像により隠され、下層画像のその他の部分は見える状態にある。サイズが大になると、上層画像を可視とすると、下層画像のうち殆どの部分が上層画像により隠され、下層画像は見えない。
【００２８】
図１において、上層左頁画像保持部８は、表示画面において中心線の左側であって下層左頁画像に重ねて配置される上層左頁画像を保持し、上層右頁画像保持部９は、表示画面において中心線の右側であって下層右頁画像に重ねて配置される上層右頁画像を保持する。
【００２９】
そして、上層画像制御部７は、入力部であるマウス４、キーボード５及びインターフェイス３が、受け付けた頁操作入力（例えば、次頁等）に応じて、下層左頁画像及び下層右頁画像を制御するため、上層左頁画像及び上層右頁画像のサイズ及び可視／不可視というプロパティを制御する。
【００３０】
なお、合成部１３は、各保持部８、９、１１、１２に現状にあわせて、図５（ｃ）に示すような最終的な表示画面を生成し、その画面が表示されるように表示デバイス６を制御する。表示デバイス６としては、ＬＣＤ等が代表的であるが、ＣＲＴ等であっても差し支えない。
【００３１】
以下、図３及び図５〜図１３を参照しながら、マウス４により「次頁」ボタン（図示せず）が押し下げられてから、頁の遷移が完了するまでの動作を説明する。
【００３２】
ここでは、図５（ｃ）に示すように、頁は左から右へ進行するものとし、現在１頁と２頁が開かれているものとする。このとき、上層画像はいずれも不可視であり、下層画像（高解像度）のみが見えている。２頁の上層画像は、下層画像と同じく２ａ頁のものであり、サイズは「大」である。１頁の上層画像は、下層画像とは異なり３ａ頁のものであり、サイズは「小」である。
【００３３】
さて、「次頁」ボタンが押し下げられると、ステップ１にて、制御部１は、現在の下層左頁画像の頁番号ｎを取得する。現在、下層左頁画像は１頁に関するので、ここでは、ｎ＝１という値が取得される。
【００３４】
次に、ステップ２にて、上層画像制御部７は、上層左頁画像の可視を「否」、サイズを「小」、頁を「（ｎ＋２）ａ＝３ａ」とする。
【００３５】
ステップ３にて、上層画像制御部７は、上層右頁画像の可視を「否」、サイズを「大」、頁を「（ｎ＋１）ａ＝２ａ」とする。
【００３６】
ステップ４にて、下層画像制御部１０、下層左頁画像の頁を「ｎ＝１」とし、下層右頁画像の頁を「ｎ＋１＝２」とする。
【００３７】
その結果、上層画像は図５（ａ）の状態となり、下層画像は図５（ｂ）の状態となり、結局、表示結果は図５（ｃ）に示すようになる。
【００３８】
ステップ２〜ステップ４の前処理は、ステップ１１等の後処理が常に実施されるという前提がなりたつなら、省略することができる。
【００３９】
次に、ステップ５にて、上層画像制御部７は、上層右頁画像の可視を「可」に変更し、その結果、図６（ａ）に示すように、サイズが「大」である２ａ頁の上層画像があらわれる。このため、下層右頁画像は隠されてしまうが、この機会を利用し、ステップ６にて、下層画像制御部１０は、下層右頁画像の頁番号をｎ＋３＝４とする。即ち、上層右頁画像の陰で下層画像の入れ替えを実施している。このようにしても、上層画像により隠されているから何ら違和感を生じない。
【００４０】
次に、図７から図８に示すように、ステップ７にて、上層画像制御部７が上層右頁画像のサイズを「大」から「小」へ変更する（つまり、２ａ頁の上層画像が中心線２０の方へ徐々に狭くなってゆく）と、４頁の下層右頁画像が徐々に見えてくることになる。なお、サイズの変更は、実際にはタイマ（図示せず）等を利用し、徐々に進めた方が見栄えが良く好適である。
【００４１】
ついには、図８（ｃ）に示すように、上層右頁画像のサイズは、殆どゼロになる。すると、ステップ８にて、上層画像制御部７は、上層右頁画像の可視を「否」とし、見えなくする。その後、サイズを「大」に変更して、（ｎ＋３）ａ（＝４ａ）頁の上層右頁画像をセットする。これは、さらなる「次頁」操作入力に備えるためである。
【００４２】
勿論、このとき、可視は「否」であるから、このような処理を行っても、図９（ｃ）に示すように、利用者にはそれが見えないから、全く違和感を生じない。
【００４３】
また、ステップ９にて、上層画像制御部７は、上層左頁画像の可視を「可」に変更する。これにより、図９（ａ）、（ｃ）に示すように、サイズが「小」である３ａ頁の上層左頁画像が見えてきて、１頁の下層画像の一部がそれにより隠される。
【００４４】
さらに、ステップ９にて、上層画像制御部７は、上層左頁画像のサイズを「小」から「大」へ変更する。これにより、図９から図１０に矢印で示すように、３ａ頁の上層画像が中心線２０から左端へ向けて延びてゆく結果となり、１頁の下層画像がそれだけ隠されてゆく。
【００４５】
ついには、図１１に示すように、１頁の下層左頁画像の殆どが３ａ頁の上層左頁画像によって隠されてしまうことになるが、このとき、ステップ１０にて、下層画像制御部１０は、下層左頁画像の頁数を「ｎ＋２＝３」とし、その後、ステップ１１にて、上層画像制御部７は、上層左頁画像の可視を「否」とする。その結果、図１２（ａ）、（ｃ）に示すように、３頁の下層左頁画像（高解像度）があらわれて、静止状態で見やすい表示が実施される。また、ステップ１１にて、図１３に示すように、上層画像制御部７は、上層左頁画像のサイズを「小」とし、次の頁操作入力に備える。
【００４６】
以上の説明から明らかなように、「次頁」ではなく、「前頁」という操作入力についても、方向を適宜変更すれば対応できる。さらに、先頭頁、末尾頁を含め、頁のジャンプに応用することもできる。
【００４７】
本形態によれば、少ない実装負担により、あたかも本当に頁がめくられているかのようなリアルな頁めくり動作を実現できる。
【図面の簡単な説明】
【００４８】
【図１】本発明の一実施の形態における頁画像表示装置のブロック図
【図２】（ａ）同下層画像のデータ構造図  （ｂ）同上層画像のデータ構造図
【図３】同頁画像表示装置のフローチャート
【図４】（ａ）同下層画像の例示図  （ｂ）同上層画像の例示図  （ｃ）同下層画像の例示図  （ｄ）同上層画像の例示図  （ｅ）同下層画像の例示図  （ｆ）同上層画像の例示図  （ｇ）同下層画像の例示図  （ｈ）同上層画像の例示図
【図５】（ａ）同上層画像の状態説明図  （ｂ）同下層画像の状態説明図  （ｃ）同合成画像の状態説明図
【図６】（ａ）同上層画像の状態説明図  （ｂ）同下層画像の状態説明図  （ｃ）同合成画像の状態説明図
【図７】（ａ）同上層画像の状態説明図  （ｂ）同下層画像の状態説明図  （ｃ）同合成画像の状態説明図
【図８】（ａ）同上層画像の状態説明図  （ｂ）同下層画像の状態説明図  （ｃ）同合成画像の状態説明図
【図９】（ａ）同上層画像の状態説明図  （ｂ）同下層画像の状態説明図  （ｃ）同合成画像の状態説明図
【図１０】（ａ）同上層画像の状態説明図  （ｂ）同下層画像の状態説明図  （ｃ）同合成画像の状態説明図
【図１１】（ａ）同上層画像の状態説明図  （ｂ）同下層画像の状態説明図  （ｃ）同合成画像の状態説明図
【図１２】（ａ）同上層画像の状態説明図  （ｂ）同下層画像の状態説明図  （ｃ）同合成画像の状態説明図
【図１３】（ａ）同上層画像の状態説明図  （ｂ）同下層画像の状態説明図  （ｃ）同合成画像の状態説明図
【符号の説明】
【００４９】
１  制御部
２  頁データ供給部
３  インターフェイス
４  マウス
５  キーボード
６  表示デバイス
７  上層画像制御部
８  上層左頁画像保持部
９  上層右頁画像保持部
１０  下層画像制御部
１１  下層左頁画像保持部
１２  下層右頁画像保持部
１３  合成部
２０  中心線
【図１】
0004431118.tif 000002
【図２】
0004431118.tif 000003
【図３】
0004431118.tif 000004
【図４】
0004431118.tif 000005
【図５】
0004431118.tif 000006
【図６】
0004431118.tif 000007
【図７】
0004431118.tif 000008
【図８】
0004431118.tif 000009
【図９】
0004431118.tif 000010
【図１０】
0004431118.tif 000011
【図１１】
0004431118.tif 000012
【図１２】
0004431118.tif 000013
【図１３】
0004431118.tif 000014